(57)【要約】【課題】パネル材の連結作業性が良くかつ傷つきを防止する。【解決手段】一方のパネル材１の裏面１ａに第１の連結部材３をねじ止めし、他方のパネル材の裏面に第２の連結部材４をねじ止めする。第１の連結部材に係合孔部７を設け、第２の連結部材に係合凸部４ｃを設け、係合凸部を係合孔部に突入させることにより係合孔部の縁に摺接する斜面部１１を係合凸部に設ける。係合孔部側に係止部８を設け、係合凸部には係止部に係合し得る弾発係合片１２を設ける。隣り合うパネル材同士の表面を合わせるように一方のパネル材を押すことにより、連結部材同士が相対的にガイドされてパネル材の端面同士が近接し、ガイド終了時に係合する。最初からパネル材同士を近接させて端面同士が摺接する虞がある状態で連結作業を行う必要が無く、パネル材同士の摺接抵抗により作業性の悪化や傷つき、パネル材間のパッキンの捲れ上がりを防止し得る。【選択図】　　　図１
2004060205.tif 000002
【特許請求の範囲】
【請求項１】
壁面を構成するべく並べられる複数のパネル材間を連結するためのパネル材連結治具であって、
前記複数のパネル材の隣り合うもの同士の一方に固着される第１の連結部材と、前記隣り合うパネル材の他方に固着される第２の連結部材とを有し、
前記第１の連結部材と前記第２の連結部材との間に、前記隣り合うパネル材を互いの表面同士を合わせる向きに相対変位させることにより前記パネル材の一方を他方に向けて斜めにガイドするガイド手段と、前記ガイド手段によりガイドされた後に前記両パネル同士を連結状態にする係合手段とが設けられていることを特徴とするパネル材連結治具。
【請求項２】
前記第１の連結部材に前記パネル材の連結時に互いに対峙する端面に沿う向きに開口する係合孔部が設けられ、前記第２の連結部材に前記係合孔部内に没入し得る係合凸部が設けられ、
前記係合孔部と前記係合凸部との間に、前記ガイド手段と前記係合手段とが設けられていることを特徴とする請求項１に記載のパネル材連結治具。
【請求項３】
前記係合手段が、前記第１の連結部材に設けられた係止部と、前記第２の連結部材に前記係止部に弾発的に係合するように設けられた弾発係合片とからなることを特徴とする請求項１または請求項２に記載のパネル材連結治具。
【請求項４】
前記第１の連結部材と前記第２の連結部材とが、前記パネル材に着脱可能にされていることを特徴とする請求項１乃至請求項３のいずれかに記載のパネル材連結治具。
【発明の詳細な説明】
【０００１】
【発明の属する技術分野】
本発明は、パネル材連結治具に関し、例えばユニットバスなどの内装壁面を複数のパネル材を並べて構成する場合の隣り合うパネル材間を連結するするためのパネル材連結治具に関するものである。
【０００２】
【従来の技術】
従来、例えば浴室壁パネルを構成する複数のパネル材を連結する構造として、特開平１０−１８４７８号公報に開示されているものがある。この構造では、図６に示されるように、互いに連結される両パネル材２１の一方の各パイプ状のフレーム材２２に楔部２３ａを有する楔金具２３を固着し、他方のフレーム材２２に一対の弾片２４ａを有する抱持金具２４を固着し、楔金具２３の楔部２３ａを弾片２４ａ間に進入させて嵌合係止状態にして、両パネル材２１を連結するようにしている。
【０００３】
【発明が解決しようとする課題】
しかしながら、上記構造のものでは、図の矢印に示されるように両パネル材２１の接合面（端面）２１ａに沿う向きにパネル材２１を変位させて両金具２３・２４の嵌合係止を行うことから、両接合面２１ａが摺接し、それによる抵抗があるため作業性が悪いという問題がある。また、両パネル材２１同士を極めて接近した状態にして上記変位動作を行う必要があるため、注意深く作業しないと両パネル材２１同士が衝突して、傷つく虞がある。
【０００４】
また、実開平５−２４８１１号公報には、図７に示されているように、互いに連結される両壁パネル３１の一方の補強用パイプ３２に板バネ製係合片３３を設け、他方の補強用パイプ３２に板バネ製被係合片３４を設け、両壁パネル３１が互いに接合した状態で係合片３３の端部に形成した係合凹部３３ａに被係合片３４の端部に形成した係合凸部３４ａが係合して両壁パネル３１を連結するようにしている。
【０００５】
しかしながら、この構造のものにおいても、上記従来例と同様に図の矢印に示されるように両壁パネル３１の接合面に沿う向きに壁パネル３１を変位させて連結作業を行うことから、両接合面３１ａの摺接抵抗により作業性が悪いという問題がある。また、連結作業において両壁パネル３１同士の衝突による傷つきの虞もある。
【０００６】
さらに、各従来例の構造のものにおいて、両パネル材２１（壁パネル３１）間にパッキンを介在させる場合があり、そのような場合には上記したように接合面が摺接するように押し込んで連結すると、パッキンが捲れ上がってしまうという虞もある。
【０００７】
【課題を解決するための手段】
このような課題を解決して、パネル材の連結作業性が良くかつ傷つきを防止し得ることを実現するために、本発明に於いては、壁面を構成するべく並べられる複数のパネル材間を連結するためのパネル材連結治具であって、前記複数のパネル材の隣り合うもの同士の一方に固着される第１の連結部材と、前記隣り合うパネル材の他方に固着される第２の連結部材とを有し、前記第１の連結部材と前記第２の連結部材との間に、前記隣り合うパネル材を互いの表面同士を合わせる向きに相対変位させることにより前記パネル材の一方を他方に向けて斜めにガイドするガイド手段と、前記ガイド手段によりガイドされた後に前記両パネル同士を連結状態にする係合手段とが設けられているものとした。
【０００８】
これによれば、隣り合うパネル材の一方を他方に対して表面同士が合うように押すことにより、パネル材の一方を他方に向けて斜めに近付けることができ、両パネル材の接合端面間をある程度離した状態から連結状態にすることができるため、最初から隣り合うパネル材同士を近接させて端面同士が摺接する虞がある状態で連結作業を行う必要が無く、パネル材同士の摺接抵抗により作業性が悪くなったり傷ついたりすることを防止できると共に、パネル材同士の接合面にパッキンを設ける場合にそのパッキンが捲れ上がってしまうことを防止できる。
【０００９】
特に、前記第１の連結部材に前記パネル材の連結時に互いに対峙する端面に沿う向きに開口する係合孔部が設けられ、前記第２の連結部材に前記係合孔部内に没入し得る係合凸部が設けられ、前記係合孔部と前記係合凸部との間に、前記ガイド手段と前記係合手段とが設けられていることによれば、係合凸部と係合孔部との一方に斜面部を設けて、他方の一部を斜面部によりガイドするという簡単な構成でガイド手段を構成できると共に、ガイド終了時に両者を係合させることができ、係合孔部に係合凸部を没入させるという簡単な作業で連結作業を行うことができる。
【００１０】
また、前記係合手段が、前記第１の連結部材に設けられた係止部と、前記第２の連結部材に前記係止部に弾発的に係合するように設けられた弾発係合片とからなることによれば、両連結部材によるガイド状態では弾発係合片を係合する側とは相反する側に弾性変形させるようにして、ガイド終了時に弾発係合片を弾性復元させて係合状態にすることができ、簡単な構成で係合状態にすることができる。
【００１１】
また、前記第１の連結部材と前記第２の連結部材とが、前記パネル材に着脱可能にされていることによれば、両連結部材間の位置合わせにおいて、整合不良の場合には新たに固着し直すことができ、作業性が良い。
【００１２】
【発明の実施の形態】
以下に添付の図面に示された具体例に基づいて本発明の実施の形態について詳細に説明する。
【００１３】
図１は、本発明が適用された例えば浴室用壁パネルの連結要領を示す部分斜視図である。この浴室用壁パネルの壁面は、複数のパネル材１を並列に配設して形成される連続する面により形成されるようになっている。それら各パネル材の隣り合うもの同士１を連結するために、本発明に基づくパネル材連結治具が用いられている。なお、本発明のパネル連結治具にあっては、浴室用壁パネルに限られるものではなく、複数のパネル材を並べて壁面を形成するものであれば適用可能なものである。
【００１４】
パネル材連結治具は、一方のパネル材１の裏面１ａにねじ２により固着された第１の連結部材３と、他方のパネル材１の裏面１ａにねじ２により固着された第２の連結部材４とからなる。なお、両連結部材３・４共、例えば合成樹脂材を射出成形して形成されている。
【００１５】
第１の連結部材３は、外周壁を有する縦長矩形状の本体３ａと、本体３ａの中央部から側方に延出する延出部３ｂとからなる。この本体３ａの底壁部３ｃにおける長手方向両端部近傍には図２（ａ）に示されるようにねじ挿通孔５が設けられており、２本の例えばタッピングねじ２を各ねじ挿通孔５に挿通してパネル材１にねじ込むことにより、第１の連結部材３がパネル材１に固着される。
【００１６】
本体３ａと延出部３ｂとの間には、図２（ａ）に示されるように、本体３ａのパネル材１への固着面から直交して延出された位置決め用舌片６が設けられている。なお、この位置決め用舌片６は、本体３ａの長手方向の両端部側を除いた中間部に１枚形状に形成されている。第１の連結部材３をパネル材１に固着する時には、本体３ａと位置決め用舌片６との角をパネル材１の裏面１ａ及び端面１ｂ間の角に当てて位置決めすることができる。なお、パネル材１の縦方向に対する位置は任意であり、予め本体３ａの縁の一部を合わせる線をパネル材１に描いておけば良い。
【００１７】
上記延出部３ｂには、図２（ａ）に示されるように、第１の連結部材３のパネル材１への固着状態でパネル材１の端面１ｂに沿う向きに貫通する係合孔部７が設けられている。その係合孔部７のパネル材１側の内面を形成する壁部３ｄが、端面１ｂの延長線よりもパネル材１側に偏倚した位置にて底壁部３ｃから立ち上がるように設けられている。
【００１８】
また、底壁部３ｃの係合孔部７側の端部は固着状態のパネル材１の端面１ｂの所に位置し、その端部に、パネル材１の裏面１ａから遠ざかる向きに突出する係止部８が設けられている。なお、この係止部８は、係合孔部７の長手方向に渡って形成された突条をなしており、係合手段を構成する。
【００１９】
第２の連結部材４は、外周壁を有する縦長矩形状の本体４ａと、本体４ａの長手方向中間位置にて底壁部４ｂに突設された係合凸部４ｃとからなる。その底壁部４ｂにおける長手方向両端部近傍にも図２（ｂ）に示されるようにねじ挿通孔９が設けられており、第１の連結部材３と同様にタッピングねじ２を各ねじ挿通孔９に挿通してパネル材１にねじ込むことにより、第２の連結部材４がパネル材１に固着される。
【００２０】
この第２の連結部材４にあっても、本体４ａのパネル材１への固着状態における端面１ｂに対応する縁部に、第１の連結部材３と同様に延出された位置決め用舌片１０が設けられている。なお、この位置決め用舌片１０は、図１に良く示されるように本体４ａの長手方向の両端部にそれぞれ設けられている。また、両位置決め用舌片１０の間隔は上記位置決め用舌片６の長さより長くされている。また、係合凸部４ｃに対して第１の連結部材３の係合孔部７が長手方向に広く形成されている。これにより、長手方向（図示例では縦方向）に対する誤差吸収（主に両連結部材３・４間の取り付け誤差）と、連結時におけるパネル材の倒し込みの軌跡とを吸収できる。
【００２１】
この第２の連結部材４をパネル材１に固着する時にも、本体４ａと位置決め用舌片１０との角をパネル材１の裏面１ａ及び端面１ｂ間の角に当てて位置決めすることができる。また、パネル材１の縦方向に対する位置決めも同様であり、第１の連結部材３との間の整合を取るように位置決めすれば良い。
【００２２】
上記係合凸部４ｃは、図２（ｂ）に示されるように中空の矩形筒状をなし、第２の連結部材４のパネル材１への固着状態でパネル材１の端面１ｂに沿って裏面１ａ側とは相反する向きに突出するように形成されている。また、係合凸部４ｃは、図２（ｂ）に良く示されるようにその中間部にて側方に突出する向きに曲折されている。係合凸部４ｃには、パネル材１の端面１ｂ側とは相反する側に、ガイド手段として上記曲折形状による斜面部１１が形成されていると共に、端面１ｂ側には、コ字状切り欠きにより形成された弾発係合片１２が設けられている。弾発係合片１２は、係合凸部４ｃの突出端部側を支点としてパネル材１の端面１ｂに交差する向きに変位可能にされている。また、弾発係合片１２の遊端部１２ａが係合凸部４ｃ内に向けて斜めに曲折されている。なお、係合凸部４ｃの突出端部は、その縁の全周に渡って面取りされている。
【００２３】
このようにして構成された両連結部材３・４を用いたパネル材１の隣り合うもの同士の連結要領について以下に示す。まず、図２に示したように各連結部材３・４をそれぞれ対応するパネル材１の裏面１ａの所定の位置にねじ２で固着して一体化する。そして、図１の矢印Ａに示されるように、例えば第１の連結部材３を一体化したパネル材１に対してその表側から第２の連結部材４を一体化したパネル材１を近付けて、係合凸部４ｃを係合孔部７に突入させる。
【００２４】
上記係合凸部４ｃを係合孔部７に突入初期状態を図３に示す。なお、連結時に互いに対峙する両端面１ｂ間にはパッキン１３を介装する。パッキン１３は端面１ｂに設けられている凹部に予め装着しておく。この突入初期状態では、係合孔部７の本体３ａ側とは相反する側の縁を形成する顎部１４に係合凸部４ｃの斜面部１１が当接し、斜面部１１上を顎部１４の縁が相対的に摺接し、斜面部１１によるガイド状態になる。その斜面部１１のガイド作用により、第２の連結部材４を一体化したパネル材１が、第１の連結部材３を一体化したパネル材１に対して、図の矢印Ｂに示されるように斜めに近付くように変位し得る。
【００２５】
したがって、係合凸部４ｃを係合孔部７に突入させる作業においては、隣り合うパネル材１の互いに対峙する端面１ｂ同士が密接するようにしてから係合凸部４ｃを係合孔部７に入れる必要が無く、両パネル材１同士をある程度離した状態で係合凸部４ｃの突出端部を係合孔部７に入れるだけで良い。これにより、係合凸部４ｃを係合孔部７に突入させる作業において、各端面１ｂ同士が摺接してしまうように近接させた状態で両者を相対変位させる必要がないため、近接時にパネル材１同士が衝当して傷付いてしまったり、パッキン１３が捲れ上がってしまったりすることを防止し得る。
【００２６】
さらに第２の連結部材４を一体化したパネル材１を矢印Ａに示されるように押していくことにより、係合孔部７の縁に対する斜面部１１によるガイド状態が終了し、図４に示されるように係合凸部４ｃの係合孔部７に対する没入状態となる。この没入状態では、第２の連結部材４の本体４ａの周壁部と係合凸部４ｃの基部との間に延出部３ｂの顎部１４が入り込むようになる。なお、この状態になる前に、弾発係合片１２の中間部が係止部８に衝当し、上記斜面部１１によるガイドが進むに連れて弾発係合片１２が係合凸部４ｃ内に撓む。
【００２７】
図４の状態では、両端面１ｂが概ね密接した状態になる。この図４の状態からさらに矢印Ａに示されるように第２の連結部材４を一体化したパネル材１を押すことにより、顎部１４が底壁部４ｂに当接し、隣り合うパネル材１同士の表面１ｃが連続した同一面を形成するようにされている。
【００２８】
図４の終期状態では、弾発係合片１２の中間部と係止部８との衝当状態が終わって、自身の弾性復元力により弾発係合片１２が元の状態に戻ろうとして、遊端部１２ａが係止部８に係合する。この弾発係合片１２の遊端部１２ａと係止部８とにより係合手段が構成されている。なお、遊端部１２ａは、上記したように斜めに曲折されて形成されていることから、加工誤差や取り付け誤差を吸収して係止部８と係合し得る。この係止部８と弾発係合片１２との係合状態により、第２の連結部材４を一体化したパネル材１の矢印Ａとは逆向きの離脱方向変位が阻止されるため、隣り合うパネル材１同士の連結状態が保持される。
【００２９】
また、最終的に隣り合うパネル材１の各端面１ｂ同士が密接状態になるが、それに至る過程を連結部材３・４間に設けたガイド手段（係合孔部７及び斜面部１１）によりパネル材１の一方を他方に対して敢えて近付けるように変位させることなく実行することができる。上記したように一方のパネル材１を端面１ｂに沿う向きに押す操作だけで自然に他方のパネル材１に近付けることができ、作業が容易である。
【００３０】
なお、両連結部材３・４は、上記したようにねじ２によりパネル材１に対して固着されるようにされており、その着脱が可能である。例えば仮組み付け状態で両連結部材３・４間の整合不良が発見された場合にはいずれか一方を外して新たな位置にねじ止めし直すことができる。
【００３１】
【発明の効果】
このように本発明によれば、隣り合うパネル材の連結端面間をある程度離した状態から両連結部材によりガイドして両パネル材の端面同士を近付けるようにして連結状態にすることができるため、最初から隣り合うパネル材同士を近接させて端面同士が摺接する虞がある状態で連結作業を行う必要が無く、パネル材同士の摺接抵抗により作業性が悪くなったり傷ついたりすることを防止できると共に、パネル材同士の接合面にパッキンを設ける場合にそのパッキンが捲れ上がってしまうことを防止できる。
【００３２】
特に、第１の連結部材に前記パネル材の連結時に互いに対峙する端面に沿う向きに開口する係合孔部が設けられ、前記第２の連結部材に前記係合孔部内に没入し得る係合凸部が設けられ、前記係合孔部と前記係合凸部との間に、前記ガイド手段と前記係合手段とが設けられていることによれば、係合孔部に係合凸部を没入させるという簡単な構成で、ガイドして係合させるという一連の連結作業を行うことができ、作業性が良い。
【００３３】
また、連結部材の一方に係止部を設け、他方に弾発係合片を設けることにより、両連結部材によるガイド状態では弾発係合片を係合する側とは相反する側に弾性変形させるようにして、ガイド終了時に弾発係合片を弾性復元させて係合状態にすることができ、簡単な構成で係合状態にすることができる。
【００３４】
また、前記第１の連結部材と前記第２の連結部材とが、前記パネル材に着脱可能にされていることによれば、両連結部材間の位置合わせにおいて、整合不良の場合には新たに固着し直すことができ、作業性が良い。
【図面の簡単な説明】
【図１】本発明が適用された例えば浴室用壁パネルの連結要領を示す部分斜視図。
【図２】（ａ）は第１の連結部材を示す図１の矢印ＩＩａ−ＩＩａ線に沿って見た断面図であり、（ｂ）は第２の連結部材を示す図１の矢印ＩＩｂ−ＩＩｂ線に沿って見た断面図
【図３】連結初期の状態を示す両連結部材を示す断面図。
【図４】連結中期の状態を示す両連結部材を示す断面図。
【図５】連結終期の状態を示す両連結部材を示す断面図。
【図６】従来の例を示す連結部材の断面図。
【図７】従来の他の例を示す連結部材の断面図。
【符号の説明】
１　パネル材、１ｂ　端面、１ｃ　表面
２　ねじ
３　第１の連結部材
４　第２の連結部材、４ｃ　係合凸部
６　位置決め用舌片
７　係合孔部
８　係止部
１０　位置決め用舌片
１１　斜面部
１２　弾発係合片、１２ａ　遊端部
１３　パッキン
【図１】
2004060205.tif 000003
【図２】
2004060205.tif 000004
【図３】
2004060205.tif 000005
【図４】
2004060205.tif 000006
【図５】
2004060205.tif 000007
【図６】
2004060205.tif 000008
【図７】
2004060205.tif 000009